(57)【特許請求の範囲】
【請求項１】
玄米を精白する精米装置（１５）から糠を吸引して糠収容体（５７）に圧送し、該糠収容体（５７）に糠を収容するようにした精米機の糠収容装置において、
前記糠収容体（５７）は、糠が収容される糠袋（８３）を上方開口状に収容する糠袋収容部材（８４）と、この糠袋収容部材（８４）に収容された糠袋（８３）の開口を覆うと共に前記糠袋収容部材（８４）とで糠袋（８３）の開口縁部側を全周に亘って挟み込み且つ糠取入口（９６）と排気口（９８）とを備えた蓋部材（８５）と、糠袋収容部材（８４）内部に設けられていて糠を圧送する空気による糠袋（８３）の広がりを規制すると共に該糠袋（８３）を受持する糠袋保持部材（８６）とから主構成され、糠袋（８３）に糠が一定量収容されるとその重さで糠袋保持部材（８４）が下降することで、糠が一定量収容されたことを検出するようにしたことを特徴とする精米機の糠収容装置。
【請求項２】
精米装置（１５）及び糠収容体（５７）をケース（１２）に収納すると共に、このケース（１２）前面を開閉自在な前面扉（１０）とし、糠収容体（５７）をケース（１２）から取り出すべく、糠袋収容部材（８６）を前後方向移動自在に支持したことを特徴とする請求項１記載の精米機の糠収容装置。
【請求項３】
糠袋（８３）と糠袋保持部材（８４）との間の空気を逃がす逃がし部を糠袋保持部材（８４）に設けたことを特徴とする請求項１又は２記載の精米機の糠収容装置。
【請求項４】
糠取入口（９６）を蓋部材（８５）の一側面に形成して糠を横方向に取り入れると共に、この糠取入口（９６）を糠の取入方向に直交する横方向の中央部に設け、蓋部材（８５）内部に、上方及び糠取入方向（Ａ）に直交する横方向両側が閉塞されると共に下方開放状に構成されて糠取入方向（Ａ）に案内するガイド部材（９７）を設け、このガイド部材（９７）の糠取入方向（Ａ）に直交する横方向両側の、蓋部材（８５）の上面側に、排気口（９８）を形成したことを特徴とする請求項１、２又は３記載の精米機の糠収容装置。
【発明の詳細な説明】
【０００１】
【発明の属する技術分野】
本発明は、玄米を精白する精米機の糠収容装置に関するものである。
【０００２】
【従来の技術】
従来、精米機として、玄米を精白する精米装置と、この精米装置から糠を吸引して糠収容体に圧送し、該糠収容体に糠を収容するようにした糠収容装置とを備えたものがある。
【０００３】
【発明が解決しようとする課題】
前記従来の精米機にあっては、糠収容体はただ単に箱体で構成され、この箱体に糠を収容していたので、糠の取り出しが大変な作業であるという問題がある。
また、箱体に糠が一杯になったことを検出する手段がなかったので、適当な時期に糠の量を点検しなければならず、面倒であるという問題もある。
【０００４】
そこで、本発明は、前記問題点に鑑みて、糠の取出し作業を簡単に行えると共に、糠の取出し時期を良好に検出できる精米機の糠収容装置を提供することを目的とする。
【０００５】
【課題を解決するための手段】
本発明が前記目的を達成するために講じた技術的手段は、玄米を精白する精米装置１５から糠を吸引して糠収容体５７に圧送し、該糠収容体５７に糠を収容するようにした精米機の糠収容装置において、
前記糠収容体５７は、糠が収容される糠袋８３を上方開口状に収容する糠袋収容部材８４と、この糠袋収容部材８４に収容された糠袋８３の開口を覆うと共に前記糠袋収容部材８４とで糠袋８３の開口縁部側を全周に亘って挟み込み且つ糠取入口９６と排気口９８とを備えた蓋部材８５と、糠袋収容部材８４内部に設けられていて糠を圧送する空気による糠袋８３の広がりを規制すると共に該糠袋８３を受持する糠袋保持部材８６とから主構成され、糠袋８３に糠が一定量収容されるとその重さで糠袋保持部材８４が下降することで、糠が一定量収容されたことを検出するようにしたことを特徴とする。
【０００６】
また、精米装置１５及び糠収容体５７をケース１２に収納すると共に、このケース１２前面を開閉自在な前面扉１０とし、糠収容体５７をケース１２から取り出すべく、糠袋収容部材８６を前後方向移動自在に支持したことも特徴とする。
また、糠袋８３と糠袋保持部材８４との間の空気を逃がす逃がし部を糠袋保持部材８４に設けたことも特徴とする。
【０００７】
また、糠取入口９６を蓋部材８５の一側面に形成して糠を横方向に取り入れると共に、この糠取入口９６を糠の取入方向に直交する横方向の中央部に設け、蓋部材８５内部に、上方及び糠取入方向Ａに直交する横方向両側が閉塞されると共に下方開放状に構成されて糠取入方向Ａに案内するガイド部材９７を設け、このガイド部材９７の糠取入方向Ａに直交する横方向両側の、蓋部材８５の上面側に、排気口９８を形成したことも特徴とする。
【０００８】
【発明の実施の形態】
以下、本発明の実施の形態を図面に基づいて説明する。
図１乃至図２０は第１の実施の形態を示し、図２は、袋入りの玄米の自動販売機１と、玄米を精白する自動精米機２とを左右に併置した米の自動販売システムＳを示す。図例では、右側に玄米の自動販売機１を配置し、左側に精米機２を配置したものを示すが、左右逆に配置してもよく、また、精米機２の左右両側に玄米の自動販売機１を配置してもよく、さらに、玄米の自動販売機１を２機以上左右方向に配置してもよい。
【０００９】
なお、玄米の自動販売機１及び自動精米機２の高さ及び奥行き（前後幅）は、市販の清涼飲料水等の自動販売機と略同程度の寸法（例えば、高さ１８３０ｍｍ、奥行き７３０ｍｍ）に形成される。
前記玄米の自動販売機１は、例えば、３Ｋｇの玄米を袋詰めにしたものと、５Ｋｇの玄米を袋詰めにしたものとを箱形のケース３内に多数収納し、該ケース３の前面に設けたコイン投入口４からコインを投入し、選択ボタン５を押すことによって、所望の袋入り玄米が取出口６から取り出し得るように構成されたものである。
【００１０】
なお、前記玄米の自動販売機１は、一例を示したものであり、玄米の自動販売機１としては、１種類の重さの袋入り玄米又は重さの異なる３種類以上の袋入り玄米を収納するものであっても、玄米の種類のことなるものを１種類又は２種類以上収納するものであってもよく、要は、袋入りの玄米を収納・貯蔵できると共に排出できるようにしたものであればよい。また、袋入り玄米を購入するのに、紙幣又はプリペイドカード等によって購入できるようにしたものであってもよい。
【００１１】
精米機２は、図２〜図６に示すように、上面パネル７、下面パネル８、左右一対の側面パネル９、前面扉１０及び背面パネル１１とから箱形に形成されたケース１２を備え、このケース１２内に、玄米投入ホッパ１３と、玄米搬送装置１４と、精米装置１５と、糠収容装置１６等を収納して構成されている。
前記ケース１２の前面扉１０は右端側が上面パネル７等に支軸１７等を介して上下方向の軸心廻りに回動自在に枢着されており、この前面扉１０によってケース１２の前面全域が開放可能とされている。
【００１２】
なお、前面扉１０は左端側を枢着するようにしてもよいが、図例のように精米機２の右側に玄米の自動販売機１を配置したものにあっては、前面扉１０の右端側（すなわち、玄米の自動販売機１の在る側）を枢着することによって、精米機２の左側面を壁際ぎりぎりまで寄せて配置しても前面扉１０の開き角度を大きく採れるという利点がある。
【００１３】
前面扉１０の下部には、開口部１８が形成され、この開口部１８は、下端側が開口部１８の縁部に支軸２０を介して左右方向の軸心廻りに回動自在に枢着された開閉扉１９によって開閉自在に閉塞されている。この開閉扉１９の内側の、左側（左右一側）には玄米投入部２１が、右側（左右他側）には精白米取出部２２がそれぞれ設けられている。
【００１４】
玄米投入部２１は、図３、図４、図６及び図１７に示すように、左右側板２３と、下方に向かうに従って後方に移行するように傾斜状とされたガイド板２４とから上下及び後方に開放状とされたシュートで構成されている。また、この玄米投入部２１の後方、すなわち、ケース１２内の左側の前側下部には、前記玄米投入ホッパ１３が配置され、これら玄米投入部２１と玄米投入ホッパ１３との間には、ガイド部材２５が設けられている。
【００１５】
このガイド部材２５は前面扉１０に取り付けられ、玄米投入部２１の左右両側に位置する左右側板２６と、玄米投入部２１のガイド板２４の下方側に位置していて下方に向かうに従って後方に移行するように傾斜状とされたガイド板２７とから構成されている。
なお、玄米投入ホッパ１３の上部前面側は上端から下方に切り欠かれており、該切欠部分からガイド部材２４の後下部及び玄米投入部２１の下部が玄米投入ホッパ１３内に挿入状とされている。
【００１６】
前記玄米投入部２１の構成にあっては、開閉扉１９を開けたときに玄米投入部２１の上面側が玄米投入口２８とされ、玄米が玄米投入部２１からガイド部材２４を経て玄米投入ホッパ１３へと投入できるようになっている。
前記玄米投入ホッパ１３の下部には、玄米の有無を検出するレベルスイッチからなる第１の玄米検出センサ２９が設けられている。
【００１７】
前記精白米取出部２２は、前後左右及び下面が閉塞されて上方開口状とされた箱形に形成され、開閉扉１９の内面に取付固定されている。この精白米取出部２２には、内部に精白米収納用の袋を装着したことを検出する袋検出センサ３０が設けられている。また、前面扉１０には、開閉の有無を検出する扉センサ３１が設けられている。
【００１８】
また、開閉扉１９の右側に透明窓３２が設けられていると共に、精白米取出部２２の、透明窓３２に対応する部分が切り欠かれていて、精白米取出部２２内を外部から視認できるようになっている。
さらに、開閉扉１９と開口部１８の縁部とに亘って、開閉扉１９を開かないようにロックするロック装置３３が設けられている。
【００１９】
前記玄米投入ホッパ１３の後方（ケース１２内の左側前後方向中途部）には、玄米搬送装置１４が上下方向に配置されている。この玄米搬送装置１４は、ケーシング内に多数のバケットを取り付けたチェーンを上下のスプロケットに掛装してなるバケットエレベータ（又はスクリュコンベア、スローワ、玄米を気流に浮遊させて運搬するニューマチックコンベア等、玄米を搬送できるものであればよい）から構成され、下端側の左側面に供給口３４が形成され、上端側の右側面に排出口３５が設けられている。供給口３４は、シュート３６を介して玄米投入ホッパ１３の下面側の排出口１３ａに接続されている。
【００２０】
前記玄米搬送装置１４の排出口３５の前面下部には玄米を検出するレベルスイッチからなる第２の玄米検出センサ３７が設けられ、玄米搬送装置１４の下端側後面には下部のスプロケットを駆動するモータ３８が設けられている。
前記精米装置１５はケース４内の右側上部に配置されており、玄米を精白する搗精部３９と、玄米搬送装置１４の排出口３５の下方に配置されていて玄米搬送装置１４から送られてくる玄米を一時溜めるホッパ４０と、ホッパ４０から搗精部３９へと玄米を送る横送り部４２及び縦送り部４３と、精白米を排出する排出部４４と、前記搗精部３９、ホッパ４０、横送り部４２及び縦送り部４３、排出部４４を取付支持する取付部４５と、この取付部４５の後方に配置されていて搗精部３９内の搗精ロールを駆動するモータ４６等から構成されている。
【００２１】
ホッパ４０には、ホッパ４０内の玄米を検出するレベルスイッチからなる第３の玄米検出センサ４１が設けられていると共に、ホッパ４０の前面下部には、内部を視認可能な透明窓４０Ａが設けられている。
取付部４５及びモータ３８の下部側には、玄米搬送装置１４及びケース１２に取付固定された支持板４８が配置され、この支持板４８に取付部４５及びモータ３８が取り付けられている。モータ４６と搗精ロールとは支持板４８の下方に配置されたベルト巻掛伝動機構からなる伝動機構４７によって連動連結されている。
【００２２】
ここで、取付部４５の取付構造を説明すると、図８に示すように、取付部４５の後面には、板材からなる取付部材４９がボルト等によって固定され、この取付部材４９の下部には左右一対のブラケット５０が固定され、このブラケット５０は支持板４８の下面に支軸５１を介して左右方向の軸心廻りに回動自在に支持されている。
【００２３】
一方、取付部４５の後方には、板材からなる支持部材５２が支持板４８上に立設固定され、この支持部材５２に前記取付部材４９がボルト等によって着脱自在に取付固定される。
したがって、支持部材５２に対する取付部材４９の固定を解除すると、取付部４５が支軸５１の軸心廻りに前方に回動すると共に、図示省略のストッパによって所定角度傾斜した状態で支軸５１廻りの回動が規制され、図８に実線で示すように、搗精部３９、ホッパ４０、横送り部４２及び縦送り部４３、排出部４４が前傾姿勢とされる。
【００２４】
前記搗精部３９、ホッパ４０、横送り部４２及び縦送り部４３、排出部４４及び取付部４５を組み付ける（又は分解する）場合、下部側から順次組み付ける（分解する場合は上部側から順次分解する）ように構成されており、前述したように搗精部３９等を傾斜姿勢とすることで、ケース１２内の精米装置１５の上方空間を大きく採らなくても組み付け・分解が容易に行えるように考慮されている。
【００２５】
これによって、精米装置１５をケース１２内にコンパクトに組み込めると共に、コンパクトに組み込んでも、精米装置１５下方の糠箱配置空間を大きく採ることができるという効果を奏する。
前記精米装置１５の排出部４４の下方には、排出された精白米を、精米装置１５の前下方に位置する精白米取出部２２上方に案内するシュート５３が配置され、該シュート５３は前面扉１０に取付部材を介して取付固定されている。また、支持板４８の前部側には、精米装置１５の排出部４４から排出された精白米をシュート５３へと案内するガイド部材５４が着脱自在に取り付けられている。
【００２６】
さらに、シュート５３の出口下方側には、精白米取出部２２内にセットされた精白米収納袋内に精白米を案内する漏斗部材５５が設けられている。この漏斗部材５５は精白米取出部２２の上端側に若干挿入状とされ、開閉扉１９を開くときに邪魔にならないように、左右軸廻りに上方に回動して退避すると共に、開閉扉１９を閉じたときには、元の状態に復帰するように前面扉１０に取付部材を介して取り付けられている。
【００２７】
前記シュート５３及び漏斗部材５５で案内手段を構成している。
前記糠収容装置１６は、糠を収容する糠収容体５７と、搗精部３９から糠を吸引すると共に該糠を糠収容体５７へと圧送するブロワ５８とから主構成されている。
糠収容体５７は精米装置１５の下方に配置され、ブロワ５８は、糠収容体５７の上部左側方（玄米搬送装置１４の後方）に配置された糠ファン５９と、この糠ファン５９の下方に配置されていて該ファンを駆動するモータ６０とから構成され、図５及び図６に示すように、糠ファン５９の吸引側と搗精部３９とが吸引ダクト６１によって接続され、糠ファン５９の吐出部５９ａは糠収容体５７上部左側の接続部６３に接続されている。
【００２８】
前記糠収容体５７は、図１に示すように、糠を収容する一端開口状の糠袋８３を上方開口状に収容する糠袋収容部材８４と、この糠袋収容部材８４に収容された糠袋８３の開口を覆う蓋部材８５と、糠袋８３を受持する糠袋保持部材８６とから主構成されている。
前記糠袋８３は、一般にゴミ袋用として市販されているポリ袋（ポリエチレンを主原料とした一端開口状の樹脂製袋）が採用される。
【００２９】
糠袋収容部材８４は、図１、図１１、図１２、図１３及び図１５に示すように、前後壁８４ａ，８４ｂ、左右側壁８４ｃ及び底壁８４ｄから上方開口状の箱体で構成され、上端開口周縁には全周に亘ってフランジ８７が外方突出状に設けられ、このフランジ８７上面には全面に亘ってシール材８８が設けられており、糠袋８３は、その開口縁部側が糠袋収容部材８４の上端開口縁部から延出し且つフランジ８７を巻き込むように糠袋収容部材８４にセットされる。また、この糠袋収容部材８４は左右方向対向状に配置された一対のレール体６４によって前後方向移動自在に支持されている。
【００３０】
このレール体６４は、図９、図１０、図１４〜図１６に示すように、前後方向に配置されてケース１２の下面パネル８上に固定された固定レール６５と、この固定レール６５に対して前後方向移動自在な可動レール６６とから構成されている。
固定レール６５は下面パネル８にボルト等によって固定される下壁６５ａと、この取付壁６５ａの左右方向外端から上方に立上がる側壁６５ｂと、この側壁６５ｂの上端から左右方向内方に折曲された上壁６５ｃとから構成されている。
【００３１】
可動レール６６は固定レール６５の側壁６５ｂの左右方向内方に位置し、左右方向外方に開放状のレール溝を形成する断面コ字形の上側レール部６６ａと、左右方向内方に開放状のレール溝を形成する断面コ字形の下側レール部６６ｂとから構成されている。
固定レール６５の側壁６５ｂの前部上部にはローラ６７Ａが左右方向の軸心廻りに回動自在に支持されており、このローラ６７Ａに可動レール６６の上側レール部６６ａが嵌合されている。
【００３２】
また、可動レール６６の後端側には取付壁６６ｃが形成され、この取付壁６６ｃに上下一対のローラ６７Ｂが左右方向の軸心廻りに回動自在に支持され、これらローラ６７Ｂが固定レール６５の下壁６５ａと上壁６５ｃとの間に嵌合されており、これらローラ６７Ｂ及び前記ローラ６７Ａによって可動レール６６が固定レール６５に前後方向移動自在に支持されている。
【００３３】
一方、糠袋収容部材８４の底壁８４下面には、前後にそれぞれローラ取付部材８９が固定され、各ローラ取付部材８９の左右両側には、それぞれローラ６８が左右方向の軸心廻りに回動自在に支持されており、各ローラ６８は可動レール６６の下側レール部６６ｂに嵌合されており、これによって、糠袋収容部材８４が可動レール６６に対して前後方向移動自在に支持されており、以上の構成によって、糠収容体５７がレール体６４に前後方向移動自在に支持されている。
【００３４】
そして、ケース１２の前面扉１０を開くと、精白米取出部２２、シュート５３及び漏斗部材５５等が前面扉１０と共に移動し、糠収容体５７の前方が開放状とされ、この状態で、糠ファン５９の糠収容体５７に対する接続を解除し、糠収容体５７を前方に引き出すと、可動レール６６が固定レール６５に対して前方移動すると共に、可動レール６６に対して糠収容体５７が前方移動し、該糠収容体５７がケース１２前面から外部に引き出される。
【００３５】
なお、前記糠袋収容部材８４は、前面、後面、左右側面及び底面が閉塞状で上面開口状の箱体に形成されているが、これに限定されることはなく、型鋼又は帯板材等によって箱状に枠組形成されたもの等であってもよい。
前記蓋部材８５は、図１、図９〜図１２に示すように、前後壁８５ａ，８５ｂと、左右側壁８５ｃとから上下開放状に形成され、下端開口周縁には糠袋収容部材８４のフランジ８７及びシール材８８に対向するフランジ９０が全周に亘って外方突出状に形成され、このフランジ９０の外周縁から下方に縁部壁９１が延出形成されている。この縁部壁９１の前後部分の左右方向中央部には、フック部材９２が固定され、糠袋収容部材８４の前後壁８４ａ，８４ｂ上部の左右方向中央部には、前記フック部材９２に掛脱自在に引っ掛けられる引掛部材９３と、この引掛部材９３の掛脱操作するレバー９４とからなる係止金具９５が設けられており、フック部材９２を係止金具９５に掛合させることで、図１及び図１１に示すように、蓋部材８５が糠袋収容部材８４に対して固定され、蓋部材８５のフランジ９０と、糠袋収容部材８４のフランジ８７上面に設けたシール材８８とで糠袋８６の開口縁部側が挟持される。
【００３６】
なお、図１１に示す状態からレバー９４の下端側を上方に揺動させると、引掛部材９３がフック部材９２から外れて蓋部材８５が糠袋収容部材８４から離反可能とされ、蓋部材８５を糠袋収容部材８４の上端側に嵌合し、引掛部材９３をフック部材９２に引っ掛け、その状態でレバー９４を引き下げることによって、蓋部材８５が糠袋収容部材８４に対して固定されるようになっている。
【００３７】
この蓋部材８５の左側側壁８５ｃの上下中間部には、前記糠ファン５９の吐出部５９ａに連通する糠取入口９６が開口形成されている。したがって、前記接続部６３は糠取入口９６に対応する左側側壁８５ｃの外面側に設けられており、精米装置１５から吸引された糠は蓋部材８５内に、図１２に矢示Ａで示すように、糠取入口９６を介して左側から右方へと取り入れられる（圧送される）。
【００３８】
また、蓋部材８５内には、糠取入口９６から圧送されて投入された糠を取入方向Ａに案内するガイド部材９７が取入方向Ａ一端から他端に亘って設けられている。このガイド部材９７は上壁９７ａと、前後壁９７ｂ，９７ｃとから下方開放状の断面コ字形に形成されていて、蓋部材８５の左右側壁８５ｃに固定されている。
【００３９】
また、蓋部材８５の上端開口は、蓋部材８５内に圧送された空気を排気する排気口９８とされていると共に、蓋部材８５の上部側で糠取入口９６の上方側には、フィルタ取付部９９が形成され、このフィルタ取付部９９には、糠は通さないが空気は通すフィルタ１００が、排気口９８を塞ぐように上方から着脱自在に取り付けられている。
【００４０】
したがって、前記構成のものにあっては、糠は糠取入口９６から矢示Ａ方向に圧送されて蓋部材８５内に取り入れられ、取り入れられた糠はガイド部材９７内を取入方向Ａ一端から他端に亘って気流によって送られると共に、減速されて糠袋８３内に落下する。このとき、糠はガイド部材９７の上壁９７ａ及び前後壁９７ｂ，９７ｃによって遮蔽されて上昇しなく良好に落下する。
【００４１】
また、取り入れられた糠は、ガイド部材９７内を取入方向Ａ一端から他端に送られる間に、ガイド部材９７の前後壁９７ｂ，９７ｃの下端を越えて排気口９８へと上昇する気流にのって、前後にも送られて落下し、したがって、蓋部材８５内に圧送された糠は、左右及び前後に略均等に分散して落下し、糠袋８３内に略均等に堆積する（したがって、糠袋８３内に堆積した糠の上面が略水平状となる）。
【００４２】
また、蓋部材８５の前後壁８５ａ，８５ｂには、糠収容体５７を前後移動させる際又は蓋部材８５を持ち上げる（あるいは持ち運ぶ）際等に把持される把手部材１０５が固定されている。
なお、蓋部材８５内に圧送された糠は上昇気流にのって、フィルタ１００の下面側に付着することがあり、この付着する糠の除去を容易に行うために、フィルタ１００の下面側に薄厚の補助フィルタを設けておき、フィルタ下面側に付着した糠を清掃するときに、この補助フィルタを交換するようにしてもよい。
【００４３】
前記糠袋保持部材８６は、図１に示すように、糠袋収容部材８４内に配置され、後壁８６ａと、左右側壁８６ｂと、底壁８６ｃとから、前方及び上方開口状の箱形に形成されており、後壁８６ａ下端側には開口部が形成されている。
前記糠袋８３はこの糠袋保持部材８６に挿入される。そして、蓋部材８５内に糠が圧送されると、その気流によって糠袋８３がふくらむと共に、糠袋８３と糠袋保持部材８６との間の空気が糠袋保持部材８６前面の開口部分及び開口部１０１から逃げ、糠袋８３が糠袋保持部材８６内面に密着し、糠袋保持部材８６は糠を圧送する空気による糠袋８３の広がりを規制して該糠袋８３の保形をし、これを受持する。
【００４４】
前記糠袋保持部材８６前面の開口部分及び開口部１０１が糠袋８３と糠袋保持部材８６との間の空気を逃がす逃がし部とされている。
なお、糠袋保持部材８６は、左右側面、底面及び後面が閉塞状で、前面及び上面が開放状とされた箱体で形成されているが、これに限定されることはなく、型鋼又は帯板材等によって箱状に枠組形成すると共に、底面、左右側面、前後面に棒材、鋼材又は帯板材等を格子状（又は交叉状）に設けたものや、金網又はパンチングメタル等の通気性を有する部材によって上方開放状の箱形に形成したものであってもよく、要は、糠を圧送する空気による糠袋８３の広がりを規制できると共に、糠袋８３と糠袋保持部材８６との間の空気を逃がすことができ、且つ、糠袋８３を内部の糠と共に受持できればよい。
【００４５】
図１、図１３及び図１５に示すように、糠袋保持部材８６の底壁８６ｃ下面の前端側には、左右方向に亘る被支持部材１０２が固定され、この被支持部材１０２の左右両側を下方に向けて折曲した折曲部分には、それぞれ下方に開放状の嵌合凹部１０３が形成されている。一方、糠袋収容部材８４の左右側壁８４ｃ内面の前端側下部には、支軸１０４が固定され、この支軸１０４に前記被支持部材１０２の嵌合凹部１０３を上方から嵌合させることで、糠袋保持部材８６が支軸１０４を支点として左右方向の軸心廻りに揺動自在に支持されている。
【００４６】
また、糠袋保持部材８６の底壁８６ｃ上面の後端側の左右方向中央部には、吊持プレート１０６が固定され、この吊持プレート１０６は糠袋保持部材８６の開口部１０１を挿通すると共に、糠袋収容部材８４の後壁８４ｂ下端側に形成された開口部１０７をも挿通して外方に突出されている。
この吊持プレート１０６の外方突出部分の上面にはバネ掛け部材１０８が固定され、このバネ掛け部材１０８には引張りコイルバネからなる付勢部材１０９の下端側が掛止され、この付勢部材１０９の上端側は調節ボルト１１０に掛止され、この調節ボルト１１０は、糠袋収容部材８４の後壁８４ｂ外面に固定したブラケット１１１の取付壁部１１１ａを上下方向移動自在に貫通していると共に、該取付壁部１１１ａを挟んで上下に位置するナット１１２が調節ボルト１１０に螺合されていて、ブラケット１１１に対する調節ボルト１１０の上下移動が規制されている。
【００４７】
したがって、前記吊持プレート１０６、付勢部材１０９、調節ボルト１１０等からなる吊持手段によって、糠袋保持部材８６の後部が上方に引き上げられて吊持され、吊持プレート１０６が糠袋収容部材８４の開口部１０７上縁に接当して、糠袋保持部材８６後部の支軸１０４廻りの上方への揺動が規制されている。
また、糠袋保持部材８６のケース１２内への収納位置において、吊持プレート１０６の下方には、検出センサ１１３が配置され、この検出センサ１１３は固定レール６５（又はケース１２側等）に固定の取付部材１１４に取り付けられている。
【００４８】
前記構成のものにあっては、糠が糠袋８３に溜まってきて所定量になったときに、該糠の重さによって、糠袋保持部材８６が付勢部材１０９のバネ力に抗して支軸１０４廻りに下方揺動し、吊持プレート１０６が検出センサ１１３に接当（又は近接）することによって、糠袋８３に糠が所定量溜まったことが検出される。そして、この検出信号によって、ケース１２の前面扉１０の外面側に設けた表示手段に糠が所定量溜まったことが表示（又はブザー等によって報知）される。糠が所定量溜まったことが表示（又は報知）されると、ケース１２の前面扉１０を開け、糠収容体５７を前方に引き出し、蓋部材８５を開けて、糠袋８３を取り出すことで、糠が取り出せ、糠の取り出しが容易に行える。
【００４９】
前記構成のものでは、ナット１１２を螺進・螺退させて調節ボルト１１０の上下位置を変えることによって、付勢手段１０９のバネ力が変更でき、これによって、検出センサ１１３によって検出される、糠袋８３に溜まる糠の検出量（検出重量）を調節することができるようになっている。
また、糠袋保持部材８６によって、糠袋８３及び糠を確実に受持できるので、糠が所定量溜まったことの検出が確実に行える。
【００５０】
なお、本実施の形態にあっては、吊持プレート１０６が検出センサ１１３に接当等することによって、糠袋８３に糠が所定量溜まったことを検出するという検出手段を採用しているが、検出手段はこれに限られることはなく、他の検出手段を採用してもよい。
前記精米装置１５の右側方には制御装置６９が配置され、また、前面扉１０の前面側上部には、精米装置１５のホッパ４０の透明窓４０ａを視認可能な透明窓７０と、精米機２の運転工程を表示灯Ｒ１〜１０によって表示する表示部７１と、精白米のツキ加減を設定する白度設定部７２とが設けられている。前記白度設定部７２は例えば、５分ヅキ、７分ヅキ、白米のいずれかを選択ボタン７３によって選択できるようになっている。
【００５１】
また、図１７に示すように、玄米投入部２１には、玄米収納袋７４の開封装置７５が設けられている。この開封装置７５は、下部が玄米投入部２１の側板２３（又はガイド部材２５側等）に左右軸廻りに回動自在に枢支されて前後揺動自在とされたレバー７６と、該レバー７６に長手方向移動自在に設けられたカッター７７とから主構成されている。
【００５２】
この開封装置７５では、開閉扉１９を開けた状態でガイド板２４上に玄米収納袋７４を載置し、この状態でレバー７６を手前に倒して該レバー７６とガイド板２４とで玄米収納袋７４を挟み込み、さらに、レバー７６を玄米収納袋７４に押し付けると、カッター７７の刃先が玄米収納袋７４に突き刺さるようになっている。そして、この状態でカッター７７を下方にスライドさせると玄米収納袋７４が開封される。
【００５３】
なお、レバー７６は玄米収納袋７４よりも薄い厚さのものは挟み込めないようにすると共に、その状態ではカッター７７の刃が突出しないように構成するのが好ましい。
前記開封装置７５の開封手段はカッター７７の他なんでもよく、例えば、図１８に示すように、カッター７７の変わりにレバー７６に電熱線７８を設け、この電熱線の熱によって玄米収納袋７４を開封するようにしてもよい。
【００５４】
前記玄米収納袋７４には、糠分が付着しているので、空の玄米収納袋７４を精白米の収納には使えない。そこで、図１９及び図２０に例示するように、前記玄米の自動販売機１に収納される玄米収納袋７４には、精白米を収納するための精白米収納袋７９が付設されている。
図１９に示すものは、玄米収納袋７４にポケット状の収容部８０を設け、この収納部８０に精白米収納袋７９が入れてあるものが示されている。また、図１２に示すものは、玄米収納袋７４の外側に精白米収納袋７９を巻付け、ゴム輪等の固定手段８１によって精白米収納袋７９を玄米収納袋７４に固定しているものを示している。
【００５５】
なお、玄米収納袋７４に精白米収納袋７９を付設する手段としては、精白米収納袋７９を玄米収納袋７４に着脱自在に接着すること等が考えられる。
このように、玄米収納袋７４に精白米収納袋７９を付設することによって、玄米を購入した人に確実に精白米収納袋７９を提供でき、余分な精白米収納袋７９を容易することもないという利点を有する。
【００５６】
前記構成の米の自動販売システムにおいて、玄米を購入する前にあっては、精米機２の表示部７１の１番上の表示灯Ｒ１が点灯状態である。そして、玄米の自動販売機１によって玄米を購入すると、その信号Ａが玄米の自動販売機１の制御装置から出力されて精米機２の制御装置６９に入力される。これによって、ロック装置３３のロックが解除されて開閉扉１９が開放可能とされると共に、表示部７１の１番上の表示灯Ｒ１が消灯して２番目の表示灯Ｒ２が点灯して、精米機２が運転可能状態となる。
【００５７】
次に、開閉扉１９を開くと、２番目の表示灯Ｒ２が消灯して３番目の表示灯Ｒ３が点灯し、玄米投入部２１から玄米投入ホッパ１３へと玄米を投入すると、第１の玄米検出センサ２９が玄米を検出すると、３番目の表示灯Ｒ３が消灯して４番目の表示灯Ｒ４が点灯し、精白米取出部２２に精白米収納袋をセットすると袋検出センサ３０が精白米収納袋を検出し、４番目の表示灯Ｒ４が消灯して５番目の表示灯Ｒ５が点灯する。
【００５８】
このとき、玄米を投入する前に精白米取出部２２に精白米収納袋をセットしておいてもよい。
次に、開閉扉１９を閉めると、扉センサ３１がそれを検出し、５番目の表示灯Ｒ５が消灯して６番目の表示灯Ｒ６が点灯し、第１の玄米検出センサ２９と袋検出センサ３０と扉センサ３１が、それぞれ玄米、精白米収納袋、開閉扉１９が閉まっていること、を検出した状態で、ロック装置３３が作動して開閉扉１９がロックされる。
【００５９】
そして、選択ボタン７３のいずれかを押して、白度を選択すると、６番目の表示灯Ｒ６が消灯して７番目の表示灯Ｒ７が点灯し、玄米搬送装置１４が作動して玄米が上方に運び上げられて、排出口３５から精米装置１５のホッパ４０に投入され、第３の玄米検出センサ４１によって玄米が検出されると、８番目の表示灯Ｒ８が点灯し、精米装置１５が作動して、ホッパ４０から横送り部４２、縦送り部４３を経て玄米が搗精部３９に至り、ここで玄米が精白され、精白米は排出部４４、ガイド部材５４、シュート及び漏斗部材５５を経て精白米取出部２２内の精白米収納袋内に投入され、一方、糠は糠収容体５７に収容される。
【００６０】
精米中において、第２の玄米検出センサ３７によって、ホッパ４０内の玄米が所定量（満杯又は満杯近く）になったことを検出すると、一旦、玄米搬送装置１４が停止し、第３の検出センサ４１によって、ホッパ４０内の玄米がなくなってきたことを検出すると、玄米搬送装置１４が再び作動してホッパ４０内に玄米が投入されるように構成されており、玄米投入ホッパ１３内に投入された玄米が一度に運び上げられるのではなく、徐々に運び上げられるようになっている。
【００６１】
これによって、ホッパ４０の容量を小さくでき、ケース１２内の精米装置１５上部の空間を大きく採らなくてもよく、精米装置１５をできるだけケース１２内の上方に配置して、糠箱配置空間を大きく、すなわち糠収容体５７を大きくすることができ、精米装置１５をケース１２内にコンパクトに組み込みながら、糠の容量アップが図られている。
【００６２】
こうして、精米が進み、第１の玄米検出センサ２９によって玄米投入ホッパ１３内に玄米がなくなったことを検出し、且つ、第２の玄米検出センサ４１によって排出部３５にも玄米がないことを検出したときに、７番目の表示灯Ｒ７が消灯して、玄米搬送装置１４が停止して搬送が終了し、これ以後、第３の玄米検出センサ４１によって、ホッパ４０内に玄米がなくなってきたことを検出しても玄米搬送装置１４は動かないようになっている。
【００６３】
そして、第３の玄米検出センサ４１によって、ホッパ４０内に玄米がなくなったことが検出されると、８番目の表示灯Ｒ８が消灯して９番目の表示灯Ｒ９が点灯し、所定時間経過後（横送り部４２、縦送り部４３及び搗精部３９内の玄米を精白するのに必要充分な時間経過後）に、９番目の表示灯Ｒ９が消灯して１０番目の表示灯Ｒ１０が点灯し、精米装置１５及び糠収容装置１６が停止すると共に、ロック装置３３による開閉扉１９のロックが解除される。
【００６４】
そして、開閉扉１９を開けて、精白米取出部２２から上方に精白米収納袋を取り出して、開閉扉１９を閉め、所定時間経過後に再びロック装置３３が働いて、開閉扉１９がロックされ、精米機２が使用できない状態となり、１０番目の表示灯Ｒ１０が消灯して１番目の表示灯Ｒ１が点灯する。
前記米の自動販売システムにおいて、玄米を連続的に購入又は精米機２使用中に購入する場合があるが、この場合、本実施の形態では、玄米の自動販売機１からの信号Ａの回数を精米機２の制御装置６９でカウントして記憶させておき、該回数分、精米機２を連続運転できるように構成されている。
【００６５】
また、玄米の自動販売機１と精米機２とを併置した米の自動販売システムＳにあっては、精米機２の玄米搬送装置１４、精米装置１５、糠収容装置１６が故障すると、玄米は購入できるのに精米ができないというトラブルが考えられるが、本実施の形態にあっては、精米機２側の各装置が故障すると、その信号Ｂが玄米の自動販売機１の制御装置に入力され、玄米の自動販売機１の前面の操作部に売り切れ表示が表示されるようになっている。なお、この場合、売り切れ表示と共に、コイン等を投入できないようにしたり、玄米の購入選択ボタンを押しても作動しないようにしてもよく、精米機２の故障時に、玄米の販売が制限されるようになっていればよい。
【００６６】
図２１及び図２２は第２の実施の形態を示しており、糠袋保持体８６は、前面、後面、左右側面及び底面が閉塞状で、上方開口状の箱体で構成され、前壁８６ｄ及び後壁８６ａの下部には、糠は通さないが空気は通す多数の孔（又はフィルタ）によって構成された空気の逃がし部１１５が設けられている。
また、シール材８８は、糠袋収容部材８４のフランジ８７から、糠袋保持部材８６内部上端側に向けて垂れ下がるように延出されて形成されており、糠袋８３をセットした状態でも、糠袋８３をセットしない状態でも使用できるように構成されている。
【００６７】
その他第１の実施の形態と同様の構成については、同符号を付して説明を省略する。
前記米の自動販売システムＳは種種設計変更が可能であり、例えば、玄米の自動販売機１に精米機選択ボタンを設け、コイン等を投入して前記精米機選択ボタンを押さない場合には前述した玄米購入・精米と同様の動作をし、この精米機選択ボタンを押したときは、精米機２のみ作動できるようにしてもよい。
【００６８】
前記実施の形態にあっては、本発明に係る精米機２を、玄米の自動販売機１と精米機２とを併置した米の自動販売システムＳに採用したものを例示したが、自動精米機２を単独で使用してもよい。この場合、精米機２には、金銭取扱手段（コイン、紙幣、プリペイドカード等の投入口及び制御機構等）を設ける必要がある。また、精米機２のケース１２の内部に、玄米を貯蔵するタンク及びこのタンク内の玄米を購入量に応じて計量する計量手段等を設けてもよい。
【００６９】
さらに、本発明の糠収容装置１６は、前記のように自動販売機型の精米機２の他、他の形式の精米機（例えば、販売店又は精米所に設置されるもの等）にも採用される。
【００７０】
【発明の効果】
本発明によれば、蓋部材８５を開けて、糠袋８３を取り出すことによって、糠が取り出せ、糠の取り出しを簡単且つ清潔に行うことができると共に、糠が一定量収容されたことを検出するようにしているので、糠の取り出し時期を容易に知ることができる。
【００７１】
また、糠の取り出し時期を検出するのに、単に糠袋８３の底部を支持する支持台を糠収容部材８４内に設け、この支持台が糠の重さで下降したときに、それを検出するようにしたとすると、糠収容体５７に糠が圧送されると、その空気によって糠袋８３がふくらんで糠袋収容部材８４の側壁内面に糠袋８３が密着し、その密着部分の摩擦抵抗により、支持台に糠の全荷重がかからず、糠の取り出し時期の検出が良好に行えないこととなるが、本発明では、特に、糠を圧送する空気による糠袋８３の広がりを規制すると共に該糠袋８３を受持する糠袋保持部材８６を設け、この糠袋保持部材８６が糠の重さで下降することによって、糠が一定量収容されたことを検出するようにしているので、糠の全荷重を確実に検出でき、糠の収容量の検出を良好に行うことができる。
【００７２】
また、精米装置１５及び糠収容体５７をケース１２に収納すると共に、このケース１２前面を開閉自在な前面扉１０とし、糠収容体５７をケース１２から取り出すべく、糠袋収容部材８６を前後方向移動自在に支持することによって、精米装置１５及び糠収容体５７をケース１２に収納した場合における、糠の取り出しを容易に行うことができる。
【００７３】
また、糠袋８３と糠袋保持部材８４との間の空気を逃がす逃がし部を糠袋保持部材８４に設けることにより、糠袋８３を糠袋保持部材８４の内面側に密着させることができ、糠を圧送する空気による糠袋８３のバタツキや糠袋８３の内部への局部的なふくらみを防止でき、糠の収容を良好に行うことができる。
また、糠取入口９６を蓋部材８５の一側面に形成して糠を横方向に取り入れると共に、この糠取入口９６を糠の取入方向に直交する横方向の中央部に設け、蓋部材８５内部に、上方及び糠取入方向Ａに直交する横方向両側が閉塞されると共に下方開放状に構成されて糠取入方向Ａに案内するガイド部材９７を設け、このガイド部材９７の糠取入方向Ａに直交する横方向両側の、蓋部材８５の上面側に、排気口９８を形成することにより、圧送されてきた糠はガイド部材９７に案内されて糠取入方向Ａに亘って搬送されて落下すると共に、ガイド部材９７の糠取入方向Ａに直交する横方向両側から排気口９８へと上昇する気流にのって糠取入方向Ａに直交する横方向両側にも搬送されて落下し、したがって、糠が糠取入方向Ａ及び糠取入方向Ａに直交する横方向に略均等に分散して落下し、糠が糠袋８３に全面に亘って略均等に堆積し、糠の収容を良好に行うことができる。
【図面の簡単な説明】
【図１】第１の実施の形態に係る糠収容体の側面断面図である。
【図２】第１の実施の形態に係る米の自動販売システムの正面図である。
【図３】第１の実施の形態に係る精米機の正面内部構成図である。
【図４】第１の実施の形態に係る精米機の左側面内部構成図である。
【図５】第１の実施の形態に係る精米機の右側面内部構成図である。
【図６】第１の実施の形態に係る精米機の平面内部構成図である。
【図７】第１の実施の形態に係る精米機の操作・表示部の正面図である。
【図８】第１の実施の形態に係る精米装置の右側面図である。
【図９】第１の実施の形態に係る糠箱等の右側面図である。
【図１０】第１の実施の形態に係る糠収容体の平面図である。
【図１１】第１の実施の形態に係る糠収容体の上部の側面断面図である。
【図１２】第１の実施の形態に係る糠収容体の上部の正面断面図である。
【図１３】第１の実施の形態に係る糠収容体の下部の側面断面図である。
【図１４】第１の実施の形態に係るレール体の側面断面図である。
【図１５】第１の実施の形態に係る糠収容体の下部の正面断面図である。
【図１６】第１の実施の形態に係る図１４のＢ−Ｂ線矢示断面図である。
【図１７】第１の実施の形態に係る玄米投入部の左側面断面図である。
【図１８】第１の実施の形態に係る玄米投入部の他の例を示す左側面断面図である。
【図１９】第１の実施の形態に係る玄米投入部の他の例を示す左側面断面図である。
【図２０】第１の実施の形態に係る玄米収納袋の他の例を示す斜視図である。
【図２１】第２の実施の形態に係る糠収容体の側面断面図である。
【図２２】第２の実施の形態に係る糠収容体の正面断面図である。
【符号の説明】
１５      精米装置
５７      糠収容体
８３      糠袋
８４      糠袋収容部材
８５      蓋部材
９６      糠取入口
９８      排気口
【図１】
0003718332.tif 000002
【図２】
0003718332.tif 000003
【図３】
0003718332.tif 000004
【図４】
0003718332.tif 000005
【図５】
0003718332.tif 000006
【図６】
0003718332.tif 000007
【図７】
0003718332.tif 000008
【図８】
0003718332.tif 000009
【図９】
0003718332.tif 000010
【図１０】
0003718332.tif 000011
【図１１】
0003718332.tif 000012
【図１２】
0003718332.tif 000013
【図１３】
0003718332.tif 000014
【図１４】
0003718332.tif 000015
【図１５】
0003718332.tif 000016
【図１６】
0003718332.tif 000017
【図１７】
0003718332.tif 000018
【図１８】
0003718332.tif 000019
【図１９】
0003718332.tif 000020
【図２０】
0003718332.tif 000021
【図２１】
0003718332.tif 000022
【図２２】
0003718332.tif 000023